(57)【要約】【課題】受信側の多様な情報提示要求を充足し得るファクシミリ装置を提供する。【解決手段】原稿画像受信部７５は、送信側からファクシミリ伝送されてきた原稿画像を受信する。印刷様式判定部７７は、原稿画像受信部７５で複数ページにわたる原稿画像を受信したとき、同原稿画像の記録紙への印刷様式に係る判定を行う。この印刷様式判定の結果、複数ページにわたる各原稿画像毎に発信元情報を付加して同一の記録紙上に印刷すべき旨の判定が下されたとき、オリジナル情報付加部８１は、当該複数ページにわたる各原稿画像毎に付加される発信元情報のうち少なくとも一に、送信側の定型情報に代えて、受信側のオリジナル情報を付加する。そして、印刷制御部８３は、発信元情報又はオリジナル情報がそれぞれ付加された複数ページにわたる原稿画像を、同一の記録紙上に印刷させる制御を行う。【選択図】  図３
2010251935.tif 000002
【特許請求の範囲】
【請求項１】
送信側からファクシミリ伝送されてきた原稿画像を受信する原稿画像受信部と、
前記原稿画像受信部で複数ページにわたる原稿画像を受信したとき、同原稿画像の記録紙への印刷様式に係る判定を行う印刷様式判定部と、
前記印刷様式判定の結果、前記複数ページにわたる各原稿画像毎に発信元情報を付加して同一の記録紙上に印刷すべき旨の判定が下されたとき、当該複数ページにわたる各原稿画像毎に付加される発信元情報のうち少なくとも一に、送信側の定型情報に代えて、受信側のオリジナル情報を付加するオリジナル情報付加部と、
前記発信元情報又は前記オリジナル情報がそれぞれ付加された前記複数ページにわたる原稿画像を、同一の記録紙上に印刷させる制御を行う印刷制御部と、
を備えて構成されることを特徴とするファクシミリ装置。
【請求項２】
請求項１記載のファクシミリ装置であって、
前記複数ページにわたる各原稿画像毎に発信元情報を付加して同一の記録紙上に印刷すべき印刷様式は、両面印刷又は集約印刷に基づく印刷様式である、
ことを特徴とするファクシミリ装置。
【請求項３】
請求項１又は２に記載のファクシミリ装置であって、
前記受信側のオリジナル情報は、Ｆコード親展情報、Ｆコードアドレス情報、印刷日時、又は原稿画像受信日時のうち、一又は二以上の組み合わせからなる、
ことを特徴とするファクシミリ装置。
【請求項４】
請求項１又は２に記載のファクシミリ装置であって、
前記受信側のオリジナル情報は、当該受信側のユーザニーズに基づき作成される、
ことを特徴とするファクシミリ装置。
【請求項５】
請求項１又は２に記載のファクシミリ装置であって、
ユーザ認証機能を有し、
前記受信側のオリジナル情報は、前記ユーザ認証機能を経由したアクセスに係るユーザ名又はそのユーザが所属する部門名のうち両者若しくはいずれか一方である、
ことを特徴とするファクシミリ装置。
【請求項６】
請求項１又は２に記載のファクシミリ装置であって、
部門管理機能を有し、
前記受信側のオリジナル情報は、前記部門管理機能を経由したアクセスに係る部門名又はその部門の管理者名のうち両者若しくはいずれか一方である、
ことを特徴とするファクシミリ装置。
【発明の詳細な説明】
【技術分野】
【０００１】
本発明は、例えば両面印刷や集約印刷などに対応し、送信側からファクシミリ伝送されてきた複数ページにわたる原稿画像の各々に発信元情報を付加して同一の記録紙上に印刷可能なファクシミ装置に係り、特に、受信側における多様な情報提示要求を充足し得るファクシミリ装置に関する。
【背景技術】
【０００２】
複数ページにわたる原稿画像をファクシミリ伝送するにあたり、受信側のファクシミリ装置において、記録紙の表裏両面に同原稿画像を形成させる旨を送信側で指定可能なファクシミリ装置が知られている。
【０００３】
かかる両面記録指定送信技術の一例として、特許文献１には、両面記録を指定して送信する画像と、片面記録を指定して送信する画像とを混在させて通信部から受信側へ送信する場合、主制御部は、片面記録を指定して送信する画像の他方の面の画像として、例えば白画像を付加し、すべて両面記録を指定して送信し、これによって、両面記録を指定して送信する通信手順をそのまま利用して片面記録に係る画像を送信することができ、また、両面記録を指定して送信する通信手順から片面記録を指定して送信する通信手順に切り換えるたびに通信手順をフェーズＢに戻すといった通信時間の無駄を省くようにした技術が開示されている。
【０００４】
特許文献１に係る技術によれば、記録紙の両面に記録する画像と片面に記録する画像を混在させて画像を送信する場合に、通信時間を短縮することができる。
【０００５】
ところで、ファクシミリに係る原稿画像には、発信元で読み取られた原稿画像データの外に、各ページの所定の位置に発信元情報（会社名、所属名、ファクシミリ番号、年月日、日時、文書番号、ページ番号等）が付加されている。そして、受信側では、例えば各ページの先頭部分（ヘッダ部分）に発信元情報が印刷されるようになっている（例えば特許文献２参照）。
【０００６】
しかしながら、例えば特許文献１に記載の両面印刷に対応しているファクシミリ装置宛に、特許文献２に記載の発信元情報付加技術を適用してファクシミリ送信を行う場合、送信側のファクシミリ装置は、奇数ページ（表面）と偶数ページ（裏面）とでほぼ同一の発信元情報を付加して送信することになる。この場合、受信側のファクシミリ装置では、奇数ページ（表面）を一瞥すれば済む内容が、偶数ページ（裏面）にも重複して印刷されることになる。
【０００７】
なお、同一の記録紙上に同一の発信元情報が重複印刷される上記の現象は、受信側のファクシミリ装置が集約印刷に対応している場合にも同様に起こり得る。すなわち、例えば集約印刷に対応しているファクシミリ装置宛に、特許文献２に記載の発信元情報付加技術を適用してファクシミリ送信を行う場合、送信側のファクシミリ装置は、奇数ページ（例えば向かって左側の画像）と偶数ページ（向かって右側の画像）とでほぼ同一の発信元情報を付加して送信することになる。この場合、受信側のファクシミリ装置では、奇数ページ（向かって左側の画像）を一瞥すれば済む内容が、偶数ページ（向かって右側の画像）にも重複して印刷されることになる。
【０００８】
このように、例えば両面印刷や集約印刷などに対応し、同一の記録紙上に複数ページにわたる原稿画像を、発信元情報と共に印刷可能なファクシミ装置では、同一の記録紙上に同一の発信元情報が重複して印刷されることになり、受信側における多様な情報提示要求に応えることができなかった。
【先行技術文献】
【特許文献】
【０００９】
【特許文献１】特開２０００−１７５０１４号公報
【特許文献２】特開２００２−１０１２９２号公報
【発明の概要】
【発明が解決しようとする課題】
【００１０】
解決しようとする課題は、送信側からファクシミリ伝送されてきた複数ページにわたる原稿画像の各々に発信元情報を付加して同一の記録紙上に印刷可能なファクシミ装置では、受信側における多様な情報提示要求に応えることができなかった点である。
【課題を解決するための手段】
【００１１】
本発明は、受信側における多様な情報提示要求を充足し得るファクシミリ装置を得ることを目的として、送信側からファクシミリ伝送されてきた原稿画像を受信する原稿画像受信部と、前記原稿画像受信部で複数ページにわたる原稿画像を受信したとき、同原稿画像の記録紙への印刷様式に係る判定を行う印刷様式判定部と、前記印刷様式判定の結果、前記複数ページにわたる各原稿画像毎に発信元情報を付加して同一の記録紙上に印刷すべき旨の判定が下されたとき、当該複数ページにわたる各原稿画像毎に付加される発信元情報のうち少なくとも一に、送信側の定型情報に代えて、受信側のオリジナル情報を付加するオリジナル情報付加部と、前記発信元情報又は前記オリジナル情報がそれぞれ付加された前記複数ページにわたる原稿画像を、同一の記録紙上に印刷させる制御を行う印刷制御部と、を備えて構成されることを最も主要な特徴とする。
【発明の効果】
【００１２】
本発明に係るファクシミリ装置によれば、例えば両面印刷では、奇数ページ（表面）を一瞥すれば済む内容が、偶数ページ（裏面）にも重複して印刷されることがなくなり、また、集約印刷では、奇数ページ（集約原稿の左側）を一瞥すれば済む内容が、偶数ページ（集約原稿の右側）にも重複して印刷されることがなくなる。しかも、従来であれば重複して印刷されていた発信元情報に代えて、受信側のオリジナル情報が印刷されるので、従って、受信側における多様な情報提示要求を充足し得るファクシミリ装置を得ることできる。
【図面の簡単な説明】
【００１３】
【図１】本発明に係るファクシミリ装置（デジタルカラー複合機）周辺の概略構成図である。
【図２】本ファクシミリ装置に搭載された操作パネル部の外観図である。
【図３】本ファクシミリ装置の動作フローチャート図である。
【図４】図４は、両面印刷様式で印刷した原稿画像を示す説明図であり、図４（１）は、定型情報が付加された奇数ページ（表面）の原稿画像に係る説明図、図４（２）は、定型情報に代えて、オリジナル情報が付加された偶数ページ（裏面）の原稿画像に係る説明図である。
【図５】図５は、集約印刷様式で印刷した原稿画像に係る説明図である。
【発明を実施するための形態】
【００１４】
受信側における多様な情報提示要求を充足し得るファクシミリ装置を得るといった目的を、印刷様式判定の結果、複数ページにわたる各原稿画像毎に発信元情報を付加して同一の記録紙上に印刷すべき旨の判定が下されたとき、当該複数ページにわたる各原稿画像毎に付加される発信元情報のうち少なくとも一に、送信側の定型情報に代えて、受信側のオリジナル情報を付加するオリジナル情報付加部によって実現した。
【実施例】
【００１５】
以下、本発明実施例に係るファクシミリ装置について、図面を参照しつつ詳細に説明する。
【００１６】
なお、以下において、本発明実施例に係るファクシミリ装置として、ファクシミリ通信機能の他に、コピー機能、プリンタ機能、スキャナ機能等の画像形成に関する多様な機能を備えたデジタルカラー複合機を例示して説明する。
【００１７】
［本発明実施例に係るファクシミリ装置（デジタルカラー複合機）の概略構成］
図１は、本発明実施例に係るファクシミリ装置（デジタルカラー複合機）の概略構成を示す機能ブロック図、図２は、同ファクシミリ装置（デジタルカラー複合機）における操作パネル部の外観図である。
【００１８】
本発明実施例に係るファクシミリ装置１０は、両面印刷や集約印刷などに対応し、送信側からファクシミリ伝送されてきた複数ページにわたる原稿画像の各々に発信元情報を付加して同一の記録紙上に印刷する機能を有する。
【００１９】
すなわち、本装置１０は、ファクシミリ通信ジョブの他に、コピージョブ、印刷ジョブ、又はネットワーク送信（メール送信やデータ送信）ジョブを含む諸機能が利用可能であり、マイクロコンピュータ及び専用のハードウェア回路等から構成される主制御部１１によって制御される。
【００２０】
この主制御部１１に接続され諸機能を担う入出力機器として、本装置１０は、スキャナ部２１、画像処理部３１、エンジン部４１、操作パネル部５１、ＨＤＤ（ハードディスクドライブ）６１、ネットワークＩ／Ｆ（インタフェース）部６３、並びに、ファクシミリ通信部６５を備える。
【００２１】
主制御部１１は、スキャナ機能を実現するための動作制御を行うスキャナコントローラ１３、コピー機能を実現するための動作制御を行うコピーコントローラ１５、プリンタ機能を実現するための動作制御を行うプリンタコントローラ１７、並びに、ファクシミリ機能を実現するための動作制御を行うファクシミリコントローラ１９、を内蔵し、本装置全体の動作を統括制御する。
【００２２】
スキャナ部２１は、図示しないスキャナを構成する画像照射ランプ２３及びＣＣＤ（電荷結合素子：Charge Coupled Device）センサ２５を含む。スキャナ部２１は、画像照射ランプ２３により原稿を照射し、その反射光をＣＣＤセンサ２５で受光することにより、原稿から画像を読み取り、読み取った画像に対応する画像データを画像処理部３１へ出力する。
【００２３】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６５等へ出力する。補正部３３は、スキャナ部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００２４】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６３を介してＬＡＮ（Local Area Network）によりクライアントＰＣ（パーソナルコンピュータ）等から送信された画像データ、ファクシミリ通信部６５を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００２５】
操作パネル部５１は、図１及び図２に示すように、タッチパネル部５３及び操作キー部５５を含む。操作パネル部５１は、ユーザがファクシミリ機能、スキャナ機能、プリンタ機能、コピー機能等に関する操作を行うために使用され、ユーザによる操作指令等を主制御部１１に与える。
【００２６】
タッチパネル部５３は、タッチパネルとカラーＬＣＤ（Liquid  Crystal  Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００２７】
操作キー部５５は、ユーザの操作入力を受付けるための複数の操作キーを備えており、例えば、ファクシミリ機能、コピー機能、プリンタ機能、スキャナ機能、などの諸機能のなかから、所要機能のキー入力操作をユーザが選択的に実行する際に用いられる。具体的には、例えば、ファクシミリ機能の利用時にユーザが送信宛先Ｆａｘ番号を選択するためのテンキー入力操作を行う際や、ワンタッチダイヤル、短縮ダイヤルに係る入力操作を行う際に用いられる。
【００２８】
ＨＤＤ（ハードディスクドライブ）６１は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６３を介してクライアントＰＣ等から確認したり、クライアントＰＣやＦＴＰサーバ等の所定のフォルダへ転送される。
【００２９】
ネットワークＩ／Ｆ部６３は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００３０】
本発明で「原稿画像受信部」の一部を構成するファクシミリ通信部６５は、スキャナ部２１によって読み取られた原稿の画像データを公衆回線網７１を介して相手機７３へ送信したり、相手機７３から送信されてきた画像データを受信する機能を有し、符号化／復号化部６７、変復調部６８、及び網制御部６９を含んで構成されている。
【００３１】
符号化／復号化部６７は、原稿に係る画像データの圧縮及び符号化を行なうとともに、受信した画像データの伸長及び復号化を行なう機能を有している。
【００３２】
変復調部６８は、圧縮／符号化された画像データの音声信号への変調、並びに受信した音声信号の画像データへの復調を行なう機能を有している。
【００３３】
網制御部６９は、ＮＣＵ（Network Control Unit）に相当し、公衆回線網７１網にダイヤル信号を送出する等の網制御を行う機能を有している。
【００３４】
さて、受信側における多様な情報提示要求を充足し得るファクシミリ装置を提供するために、主制御部１１に内蔵されるファクシミリコントローラ１９は、送信側からファクシミリ伝送されてきた原稿画像を受信する原稿画像受信部７５と、原稿画像受信部７５で複数ページにわたる原稿画像を受信したとき、同原稿画像の記録紙への印刷様式に係る判定を行う印刷様式判定部７７と、受信側で用意されるオリジナル情報を記憶するオリジナル情報記憶部７９と、印刷様式判定の結果、複数ページにわたる各原稿画像毎に発信元情報を付加して同一の記録紙上に印刷すべき旨の判定が下されたとき、当該複数ページにわたる各原稿画像毎に付加される発信元情報のうち少なくとも一に、送信側の定型情報に代えて、オリジナル情報記憶部７９から読み出した受信側のオリジナル情報を付加するオリジナル情報付加部８１と、発信元情報又はオリジナル情報がそれぞれ付加された複数ページにわたる原稿画像を、同一の記録紙上に印刷させる制御を行う印刷制御部８３と、を備えて構成されている。
【００３５】
なお、定型情報としては、例えば、発信元会社名、発信元所属名、発信元ファクシミリ番号、発信年月日、発信日時、発信元文書番号、送信原稿のページ番号のうち、一又は二以上の組み合わせを採用することができる。
【００３６】
［本発明実施例に係るファクシミリ装置の動作］
次に、本発明実施例に係るファクシミリ装置の動作の流れについて、図３乃至図５を参照して説明する。
【００３７】
図３は、ファクシミリ装置１０の動作フローチャート図、図４は、両面印刷様式で印刷した原稿画像を示す説明図、図５は、集約印刷様式で印刷した原稿画像を示す説明図である。
【００３８】
図３に示すように、ファクシミリ通信部６５は、送信側である相手機７３との間で、所定の通信規約に従うネゴシエーションを行うことを通じて、送信側（相手機７３）からファクシミリ伝送されてきた原稿画像を受信するとともに、受信した原稿画像を原稿画像受信部７５に渡す。これを受けて原稿画像受信部７５は、複数ページにわたる原稿画像を受信したか否かに係る判定を行う（ステップＳ１１）。
【００３９】
ステップＳ１１における判定の結果、ただ１枚の原稿画像を受信した旨の判定が下されたとき（ステップＳ１１の”Ｎｏ”）、ファクシミリコントローラ１９は、処理の流れをステップＳ１４へとジャンプさせる。
【００４０】
一方、ステップＳ１１における判定の結果、複数ページにわたる原稿画像を受信した旨の判定が下されたとき、印刷様式判定部７７は、該受信した複数ページにわたる原稿画像の記録紙への印刷様式に係る判定を行う（ステップＳ１２）。なお、ステップＳ１２における印刷様式判定は、ファクシミリ装置１０の設定内容、又は送信側からの指定内容を参照することで遂行することができる。ここでは、仮に、ファクシミリ装置１０の印刷様式に係る設定内容として両面印刷様式が設定されているものとして、以下の説明を進めることにする。
【００４１】
さて、ファクシミリコントローラ１９は、複数ページにわたる原稿画像について、各ページ毎に順次処理を行う。この順次処理に際し、ファクシミリコントローラ１９は、処理対象となる原稿画像が、偶数ページか、又は奇数ページか、に係る奇偶ページ判定を行う（ステップＳ１３）。
【００４２】
ステップＳ１３に係る奇偶ページ判定の結果、原稿画像が奇数ページである旨の判定が下されるか（ステップＳ１３の”Ｎｏ”）、又は、ステップＳ１１における判定の結果、ただ１枚の原稿画像を受信した旨の判定が下されたとき（ステップＳ１１の”Ｎｏ”）、ファクシミリコントローラ１９は、処理の流れをステップＳ１４へと進ませる。一方、ステップＳ１３に係る奇偶ページ判定の結果、原稿画像が偶数ページである旨の判定が下されたとき、ファクシミリコントローラ１９は、処理の流れをステップＳ１５へと進ませる。
【００４３】
ステップＳ１４において、ファクシミリコントローラ１９は、発信元情報として、例えば、発信元会社名、発信元所属名、発信元ファクシミリ番号、発信年月日、発信日時、発信元文書番号、送信原稿のページ番号のうち、一又は二以上の組み合わせに係る定型情報（送信側から送信されてきた発信元情報）を、奇数ページ目（表面）の原稿画像のうち先頭部分（ヘッダ部分）に付加した原稿画像（図４（１）参照）を作成する。
【００４４】
一方、ステップＳ１５において、オリジナル情報付加部８１は、発信元情報（送信側から送信されてきた定型情報）に代えてオリジナル情報を、偶数ページ目（裏面）の原稿画像のうち先頭部分（ヘッダ部分）に付加した原稿画像（図４（２）参照）を作成する。
【００４５】
ここで、受信側のオリジナル情報としては、例えば、ファクシミリ通信に関連する情報として、通信モード情報（例えば、Ｆコード通信か、同報通信か、親展通信か、タイマ予約通信か、ダイレクト通信か、ポーリング通信か、など）、Ｆコード親展情報、Ｆコードアドレス情報、同報宛先アドレス情報、ファクシミリ文書が表面か裏面かに係る表裏情報、受信側の会社に係るマーク、スローガン、コマーシャルメッセージ、受信日に係る占い情報、印刷日時、又は原稿画像受信日時、又は、受信側のユーザにより適宜作成される編集可能な情報などの情報群のなかから選択される、一又は二以上の組み合わせに係る情報のうち、受信側の諸事情を考慮した適切な情報を、適宜設定すればよい。
【００４６】
具体的には、例えば、受信側におけるファクシミリ文書が、その得意先に配布される場合には、受信側の会社に係るマーク、スローガン、コマーシャルメッセージや、得意先に対するお礼のメッセージを、オリジナル情報として付加することなどが考えられる。このようにすれば、発信元情報に係るスペースを無駄なく有効に活用することができるのに加えて、情報提示の自由度を高めて、受信側における多様な情報提示要求を充足することができる。
【００４７】
次いで、印刷制御部８３は、前記発信元情報又は前記オリジナル情報がそれぞれ付加された複数ページにわたる原稿画像を、同一の記録紙の表裏各面に両面印刷させる制御を行う（ステップＳ１６）。これによって、例えば図４（１），（２）に示すように、奇数ページ（表面）の原稿画像のうち先頭部分（ヘッダ部分）に定型情報が付加される一方、偶数ページ（裏面）の原稿画像のうち先頭部分にオリジナル情報が付加された印刷物を得ることができる。
【００４８】
さて、ファクシミリコントローラ１９は、１ページの原稿画像の印刷処理が遂行される毎に、全ての原稿画像についての処理が終了したか否かを監視している（ステップＳ１７）。ステップＳ１７に係る監視の結果、ファクシミリコントローラ１９は、全ての原稿画像についての処理が未だ終了していない旨の判定が下されたとき、処理の流れをステップＳ１３へと戻し、以下の処理を順次実行させる一方、全ての原稿画像についての処理が終了した旨の判定が下されると、一連のファックス受信処理を終了させる。
【００４９】
なお、上述した実施例では、ファクシミリ装置１０の印刷様式に係る設定内容として両面印刷様式が設定されている例をあげて説明したが、本発明は、ファクシミリ装置１０の印刷様式に係る設定内容として集約印刷様式が設定されている場合にも、有効に適用することができる。なお、ここでいう「集約印刷」とは、例えば１ページの記録紙に２ページ分の受信画像を集約印刷（２in１）することを意味するものとする。
【００５０】
ファクシミリ装置１０の印刷様式に係る設定内容として集約印刷様式が設定されている場合には、例えば図５に示すように、奇数ページ（集約原稿左側）の原稿画像のうち先頭部分（ヘッダ部分）に定型情報が付加される一方、偶数ページ（集約原稿右側）の原稿画像のうち先頭部分にオリジナル情報が付加された印刷物を得ることができる。
【００５１】
［実施例の効果］
以上説明したように、本発明実施例に係るファクシミリ装置１０では、原稿画像受信部７５は、送信側からファクシミリ伝送されてきた原稿画像を受信する。印刷様式判定部７７は、原稿画像受信部７５で複数ページにわたる原稿画像を受信したとき、同原稿画像の記録紙への印刷様式に係る判定を行う。この印刷様式判定の結果、複数ページにわたる各原稿画像毎に発信元情報を付加して同一の記録紙上に印刷すべき旨の判定が下されたとき、オリジナル情報付加部８１は、当該複数ページにわたる各原稿画像毎に付加される発信元情報のうち少なくとも一に、送信側の定型情報に代えて、受信側のオリジナル情報を付加する。そして、印刷制御部８３は、発信元情報又はオリジナル情報がそれぞれ付加された複数ページにわたる原稿画像を、同一の記録紙上に印刷させる制御を行う。
【００５２】
このように、本発明実施例に係るファクシミリ装置１０によれば、例えば両面印刷では、奇数ページ（表面）を一瞥すれば済む内容が、偶数ページ（裏面）にも重複して印刷されることがなくなり、また、集約印刷では、奇数ページ（集約原稿の左側）を一瞥すれば済む内容が、偶数ページ（集約原稿の右側）にも重複して印刷されることがなくなる。
【００５３】
しかも、従来であれば重複して印刷されていた発信元情報に代えて、受信側のオリジナル情報が印刷されるので、従って、受信側における多様な情報提示要求を充足し得るファクシミリ装置を得ることできる。
【００５４】
また、例えば、受信側におけるファクシミリ文書が、その得意先に配布される場合に、受信側の会社に係るマーク、スローガン、コマーシャルメッセージや、得意先に対するお礼のメッセージを、オリジナル情報として付加するように構成すれば、発信元情報に係るスペースを無駄なく有効に活用することができるのに加えて、情報提示の自由度を高めて、受信側における多様な情報提示要求を充足することができる。
【００５５】
さらに、ユーザ認証機能を有するファクシミリ装置１０では、オリジナル情報として、例えば、ユーザ認証機能を経由したアクセスに係るユーザ名又はそのユーザが所属する部門名のうち両者若しくはいずれか一方を採用することができる。
【００５６】
しかも、部門管理機能を有するファクシミリ装置１０では、オリジナル情報として、例えば、部門管理機能を経由したアクセスに係る部門名又はその部門の管理者名のうち両者若しくはいずれか一方を採用してもよい。
【００５７】
このように構成すれば、ファクシミリ文書に係る印刷物に、同文書へのアクセスルートを明示することができるので、仮に、ファクシミリ文書が排出トレイ上で置き去りにされたとしても、前記アクセスルートを通じてその所有者を容易に特定することが可能となる。従って、ファクシミリ文書の所有者を特定可能となる観点から、ファクシミリ文書の迷子を防止するといった副次的な効果を期待することができる。
【００５８】
［その他］
本発明は、上述した実施例に限られるものではなく、請求の範囲及び明細書全体から読み取れる発明の要旨、あるいは技術思想に反しない範囲で適宜変更可能であり、そのような変更を伴うファクシミリ装置もまた、本発明における技術的範囲の射程に包含されるものである。
【００５９】
すなわち、例えば、本発明実施例において開示したオリジナル情報は、あくまでも例示的に列挙したものに過ぎない。従って、本発明は、本発明実施例において開示したもの以外のオリジナル情報であって、受信側に提示して好ましい情報であれば、いかなる情報をも採用することができる。
【００６０】
最後に、本発明実施例中、奇数ページに定型情報を付加する一方、偶数ページにオリジナル情報を付加する例をあげて説明したが、本発明はこの例に限定されることなく、奇数ページにオリジナル情報を付加する一方、偶数ページに定型情報を付加する態様をも、本発明の技術的範囲の射程に包含されることはいうまでもない。
【符号の説明】
【００６１】
１１  主制御部
１９  ファクシミリコントローラ
６５  ファクシミリ通信部（原稿画像受信部）
７３  相手機（送信側）
７５  原稿画像受信部
７７  印刷様式判定部
７９  オリジナル情報記憶部
８１  オリジナル情報付加部
８３  印刷制御部
【図１】
2010251935.tif 000003
【図２】
2010251935.tif 000004
【図３】
2010251935.tif 000005
【図４】
2010251935.tif 000006
【図５】
2010251935.tif 000007